(57)【要約】【課題】従来から、フィギュアや模型等の装飾物を展示するショーケースにおいて、装飾物を載置する台座の内部に光源を設け、当該光源から装飾物に向けて光を照射するものが知られている。然しながら、光源の設置位置が固定されており、展示者の望む任意の位置・方向・角度・数等で光を照射することができず、装飾性を十分に高めるにいたっていなかった。【解決手段】装飾物の大きさや形状等に応じて、装飾物に対する光の照射位置や照射箇所等を任意の位置に設定し、装飾性を向上させることにある。【選択図】 図１
2018000353.tif 000002
【特許請求の範囲】
【請求項１】
装飾物を設置可能な設置部材を備え、
前記設置部材は、前記装飾物を設置可能な複数の設置部を有しており、
複数の前記設置部から選択した任意の前記設置部を、電力を供給可能な電力供給部と通電可能に接続し、前記電力供給部と通電可能に接続した前記設置部を通電設置部として設定可能であることを特徴とする飾り台。
【請求項２】
前記装飾物として、発光部と、前記発光部と通電可能に接続される第１接続端子と、を含んで構成される発光装飾物を有し、
前記通電設置部は、前記電力供給部と通電可能に接続される第２接続端子を有し、
前記発光装飾物を前記通電設置部に設置することに伴って、前記第１接続端子と前記第２接続端子とを通電可能に接続することを特徴とする請求項１に記載の飾り台。
【請求項３】
前記設置部材は、主装飾物を設置可能な主設置部を有しており、
前記通電設置部に設置される前記発光装飾物によって、前記主設置部に設置される前記主装飾物を照射可能とすることを特徴とする請求項２に記載の飾り台。
【請求項４】
複数の前記設置部材を連結部材によって連結可能とし、
複数の前記設置部材を前記連結部材によって連結した場合には、
複数の前記設置部材が夫々有する複数の前記設置部から選択した任意の前記設置部を、前記電力供給部と通電可能に接続し、前記電力供給部と通電可能に接続した前記設置部を通電設置部として設定可能であることを特徴とする請求項１乃至請求項３の何れか一項に記載の飾り台。
【請求項５】
前記設置部材は、前記電力供給部と通電可能に接続される第３接続端子と、前記通電設置部と通電可能に接続される第４接続端子と、を含んで構成される中継部を有し、
前記第３接続端子と前記第４接続端子とは通電可能に接続されており、
前記通電設置部は、前記中継部を介して前記電力供給部と通電可能に接続されることを特徴とする請求項１乃至請求項４の何れか一項に記載の飾り台。
【請求項６】
複数の前記設置部材を構成する設置部材として、
前記電力供給部と通電可能に接続される第３接続端子と、前記通電設置部と通電可能に接続される第４接続端子と、を含んで構成される中継部を有する設置部材と、前記中継部を有しない設置部材と、を有し、
前記第３接続端子と前記第４接続端子とは通電可能に接続されており、
前記中継部を有する設置部材の前記通電設置部及び前記中継部を有しない設置部材の前記通電設置部は、前記中継部を有する設置部材の当該中継部を介して前記電力供給部と通電可能に接続されることを特徴とする請求項４に記載の飾り台。
【請求項７】
請求項１乃至請求項６の何れか一項に記載の飾り台を備えて形成される飾りケース。
【発明の詳細な説明】
【技術分野】
【０００１】
本発明は、フィギュア、模型、装飾品等の装飾物を飾る飾り台及び当該装飾物を収納して飾る飾りケースに関するものである。
【背景技術】
【０００２】
従来から、フィギュアや模型等の装飾物を展示するショーケースにおいて、装飾物を載置する台座の内部に光源を設け、当該光源から装飾物に向けて光を照射するものが知られている。これは、装飾物の足元から装飾物を照らすことで、装飾物全体をきれいに見せるようにするものである（例えば、特許文献１）。また、特許文献１には、台座の端部に立設した自在アームの端部に光源を取り付け、装飾物の上方から光を照射することが記載されている。
【先行技術文献】
【特許文献】
【０００３】
【特許文献１】特開２０１２−２００３６９号公報
【発明の概要】
【発明が解決しようとする課題】
【０００４】
前述した特許文献１は、台座の内部に光源を設置したため、光源の配線等を台座内に被覆することで、配線の露出を防止して、きれいに見せることが可能となる。然しながら、台座のステージ板を介して光を照射するため、装飾物に照射する光量が低減してしまう。また、光源は、ステージ板よりも下方に配置されるため、装飾物に対する光の照射位置や照射角度が制限されてしまう。一方、特許文献１は、台座の端部から立設した自在アームの端部に光源を取り付け、当該光源によって装飾物の上方からも光を照射可能である。然しながら光源の設置位置が固定されており、展示者の望む任意の位置・方向・角度等から光を照射することができない。
【０００５】
本発明は、前述した事情に鑑みてなされたものであり、その目的とするところは、装飾物に対する光の照射位置等を任意の位置に設定し、装飾性を向上させることにある。
【課題を解決するための手段】
【０００６】
上述の課題を解決するための第１発明の飾り台は、
装飾物を設置可能な設置部材を備え、
前記設置部材は、前記装飾物を設置可能な複数の設置部を有しており、
複数の前記設置部から選択した任意の前記設置部を、電力を供給可能な電力供給部と通電可能に接続し、前記電力供給部と通電可能に接続した前記設置部を通電設置部として設定可能であることを特徴とするものである。
【０００７】
この様な飾り台によれば、装飾物を設置可能な複数の設置部を有する設置部材を備え、複数の設置部から選択した任意の設置部を電力供給部と通電可能に接続し、当該設置部を通電設置部として設定することを可能とする。これによれば、複数の設置部から選択した任意の設置部を通電設置部とすることが可能となるので、例えば光源を有する装飾物等の電気的装飾物を任意の設置部に設置して駆動させることが可能となる。また、任意の設置部に設置するだけで装飾物に通電可能であるので、装飾物の装飾性を向上させることが可能となる。
【０００８】
また、第２発明の飾り台は、第１発明の飾り台において、
前記装飾物として、発光部と、前記発光部と通電可能に接続される第１接続端子と、を含んで構成される発光装飾物を有し、
前記通電設置部は、前記電力供給部と通電可能に接続される第２接続端子を有し、
前記発光装飾物を前記通電設置部に設置することに伴って、前記第１接続端子と前記第２接続端子とを通電可能に接続することを特徴とするものである。
【０００９】
この様な飾り台によれば、通電設置部に設置可能な装飾物として、発光部と第１接続端子とを含んで構成される発光装飾物を有し、通電設置部は第２接続端子を有している。そして、発光装飾物を通電設置部に設置することで、第１接続端子と第２接続端子とを通電可能に接続させ、発光装飾物の発光部と電力供給部とを通電可能に接続し、当該発光部を発光するものとしている。これにより、設置部材の任意の位置に設定した通電設置部に、発光部を有する発光装飾物を設置するだけで、当該任意の位置から光を照射することが可能となる。また、発光部を有する発光装飾物を所定の設置位置に設置するだけで通電可能としているため、発光装飾物の設置面において配線等の処理をする必要がなく、装飾物及び飾り台の装飾性を向上することが可能となる。
【００１０】
また、第３発明の飾り台は、第２発明の飾り台において、
前記設置部材は、主装飾物を設置可能な主設置部を有しており、
前記通電設置部に設置される前記発光装飾物によって、前記主設置部に設置される前記主装飾物を照射可能とすることを特徴とするものである。
【００１１】
この様な飾り台によれば、設置部材は、設置される装飾物として主体となる装飾物を設置可能な主設置部を有し、通電設置部に設置される発光装飾物の発光部によって、主設置部に設置される主装飾物を照射するものとしている。これにより、主設置部に設置される主装飾物の形状、大きさ、向き等に応じて、発光装飾物を任意の位置に設置して発光可能とし、主装飾物に対して好適な照射態様で光を照射することが可能となる。またこれにより、装飾物の装飾性を向上することが可能となる。また、第３発明の構成において、複数の設置部材を連結部材によって連結可能とし、複数の設置部材を連結部材によって連結した場合には、複数の設置部材が有する夫々の主設置部を連結し、当該連結した主設置部に主装飾物を設置可能としてもよい。
【００１２】
また、第４発明の飾り台は、第１発明乃至第３発明の飾り台において、
複数の前記設置部材を連結部材によって連結可能とし、
複数の前記設置部材を前記連結部材によって連結した場合には、
複数の前記設置部材が夫々有する複数の前記設置部から選択した任意の前記設置部を、前記電力供給部と通電可能に接続し、前記電力供給部と通電可能に接続した前記設置部を通電設置部として設定可能であることを特徴とするものである。
【００１３】
この様な飾り台によれば、複数の設置部材を連結してなる飾り台において、複数の設置部材が夫々有する複数の設置部から選択した任意の設置部を通電設置部として設定可能とする。これにより、設置部材を複数連結することで装飾物を設置可能な設置部を増加すると共に、装飾物の設置面積を拡大し、装飾性を向上することが可能となる。また、増加した設置部から選択した任意の設置部を通電設置部として設置可能としている。これにより、装飾物の設置面積を拡大した場合にも、任意の設置部を通電設置部とすることが可能となるので、例えば光源を有する装飾物等の電気的装飾物を任意の設置部に設置して駆動させることが可能となる。
【００１４】
また、第５発明の飾り台は、第１発明乃至第４発明の飾り台において、
前記設置部材は、前記電力供給部と通電可能に接続される第３接続端子と、前記通電設置部と通電可能に接続される第４接続端子と、を含んで構成される中継部を有し、
前記第３接続端子と前記第４接続端子とは通電可能に接続されており、
前記通電設置部は、前記中継部を介して前記電力供給部と通電可能に接続されることを特徴とするものである。
【００１５】
この様な飾り台によれば、設置部材は、電力供給部に接続される第３接続端子と、通電設置部に接続される第４接続端子と、を含んで構成される中継部を有し、この中継部を介して、通電設置部（発光装飾物）を電力供給部と通電可能に接続することを可能としている。これにより、中継部が有する第４接続端子と任意の設置部とをコネクタ等により電気的に接続するだけで、当該任意の設置部を容易に通電設置部として設定することが可能となる。また、第５発明の構成において、中継部に複数の第４接続端子を備え、複数の設置部を複数の第４接続端子の夫々と接続し、複数の通電設置部を設定できるようにしてもよい。
【００１６】
また、第６発明の飾り台は、第４発明の飾り台において、
複数の前記設置部材を構成する設置部材として、
前記電力供給部と通電可能に接続される第３接続端子と、前記通電設置部と通電可能に接続される第４接続端子と、を含んで構成される中継部を有する設置部材と、前記中継部を有しない設置部材と、を有し、
前記第３接続端子と前記第４接続端子とは通電可能に接続されており、
前記中継部を有する設置部材の前記通電設置部及び前記中継部を有しない設置部材の前記通電設置部は、前記中継部を有する設置部材の当該中継部を介して前記電力供給部と通電可能に接続されることを特徴とするものである。
【００１７】
この様な飾り台によれば、複数の設置部材を連結してなる飾り台において、設置部材として、中継部を有する設置部材と、中継部を有しない設置部材と、を備えている。そして、中継部を有する設置部材の設置部を通電設置部として設定する場合、及び中継部を有しない設置部材の設置部を通電設置部として設定する場合の何れの場合も、中継部を有する設置部材の中継部の第４接続端子と、任意の設置部と、をコネクタ等により電気的に接続するだけで、当該任意の設置部を容易に通電設置部として設定することが可能となる。これにより、中継部を全ての設置部材に配置する必要がないので、低コスト化、軽量化を図ることが可能となる。また、第６発明の構成において、中継部に複数の第４接続端子を備え、複数の設置部を複数の第４接続端子の夫々と接続し、複数の通電設置部を設定できるようにしてもよい。
【００１８】
また、第７発明の飾りケースは、第１発明乃至第６発明の飾り台を備えて形成されることを特徴とするものである。
【００１９】
この様な飾りケースによれば、床部、側壁部、及び天井部を有し、装飾物を飾って収納可能に構成されるケースにおいて、床部、側壁部、及び天井部の少なくとも一部を第１発明乃至第６発明の飾り台として形成するものである。これにより、飾りケースを形成する設置部材の任意の設置部（任意の位置）を通電設置部とし、例えば光源を有する装飾物等の電気的装飾物を任意の設置部に設置して駆動させることが可能となる。また、電気的装飾物等を任意の設置部に設置するだけで装飾物に通電可能であるので、装飾物及び飾りケースの装飾性を向上させることが可能となる。
【発明の効果】
【００２０】
本発明の飾り台によれば、装飾物に対する光の照射位置等を任意の位置に容易に設定すると共に、装飾性の向上を図ることが可能となる。
【図面の簡単な説明】
【００２１】
【図１】本発明の第１実施形態に係る展示ケースを示す斜視図である。
【図２】展示ケースの展示台を構成する第１展示部材の分解斜視図である。
【図３】図３（ａ）は、展示ケースの展示台を上方からみた分解斜視図であり、図３（ｂ）は、展示ケースの展示台を下方からみた分解斜視図である。
【図４】図４（ａ）は、展示ケースの展示台を上方からみた分解斜視図であり、図４（ｂ）は、展示ケースの展示台を下方からみた分解斜視図である。
【図５】図５（ａ）は、展示ケースを構成する展示台の配線構造を示す図であり、図５（ｂ）は、電源ユニットを示す図である。
【図６】図６（ａ）は、図２に示す領域Ｐを拡大した図である。図６（ｂ）は、第１設置穴に嵌合可能な通電ジャックを示す図である。図６（ｃ）は、第１設置穴に嵌合可能な非通電ジャックを示す図である。図６（ｄ）は、第２設置穴に挿入して設置可能な支持部材を示す図である。図６（ｅ）は、第１設置穴を第２設置穴に変換可能な穴径変換部材を示す図である。
【図７】図７（ａ）及び（ｂ）は、発光装飾物を示す図である。図７（ｃ）及び（ｂ）は、他の発光装飾物を示す図である。
【図８】図８（ａ）は、展示ケースを正面からみた図である。図８（ｂ）は、図８（ａ）に示すＡ−Ａ線による断面を示す図である。
【図９】展示台に装飾物を設置した斜視図である。
【図１０】展示ケースの天井部材を構成する第２展示部材の分解斜視図である。
【図１１】展示ケースを構成する天井部材の配線構造を示す図である。
【図１２】図１２（ａ）は、本発明の第２実施形態の展示台又は／及び天井部材を示す図である。図１２（ｂ）は、第２実施形態の展示台又は／及び天井部材の配線構造を示す図である。
【図１３】本発明の第３実施形態の展示台又は／及び天井部材の配線構造を示す図である。
【発明を実施するための形態】
【００２２】
次に、本発明の飾り台を含んで構成される飾りケースの実施形態について図を参照して説明する。尚、以下では、フィギュア等の装飾物を展示する展示部（後述する第１設置穴、第２設置穴、ステージ面、発光ステージ面等）を備えており、当該展示部に設置した装飾物をケース内に収納して展示可能な展示ケースに、本発明を適用した例を説明する。また、図１乃至図１１は、本発明の飾りケースを展示ケースに適用した第１実施形態を示す図である。また、図１２は、本発明の飾りケースを展示ケースに適用した第２実施形態を示す図である。第２実施形態の展示ケースは、第１実施形態の展示ケースと一部構成が異なっている。また、図１３は、本発明の飾りケースを展示ケースに適用した第３実施形態を示す図である。第３実施形態の展示ケースは、第１実施形態及び第２実施形態の展示ケースと一部構成が異なっている。
【００２３】
［第１実施形態］
図１（ａ）及び（ｂ）に示すように、第１実施形態の展示ケース１は、床面を形成する展示台４（床部材）と、展示台４と対向する天井面を形成する天井部材５と、床面と天井面との間の展示空間６を取り囲むように設置されるアクリル板２と、を備え、これら展示台４、天井部材５、及びアクリル板２で箱形状に形成される。また、この展示台４（床部材）及び天井部材５を「展示部材」ともいう。
【００２４】
第１実施形態では、展示ケース１の床面（床部材）を形成する展示台４は、４個（複数）の第１展示部材１１を連結して薄型の略箱形状（直方体形状）に形成されている。そして、展示台４の表面（図示上面）には、フィギュア、模型、飾り、置物等の所定の装飾物３を設置して展示することが可能なステージ面１７が形成される。尚、ステージ面１７は、第１展示部材１１の夫々が有しており、図１等のように複数の第１展示部材１１を連結して展示台４を構成した場合には、複数の第１展示部材１１のステージ面１７が連なって（連結されて）、ステージ面１７が大きく形成される。すなわち、第１展示部材１１を連結する程、装飾物３を設置可能なステージ面１７を大きく形成することが可能となる。また、複数のステージ面１７を連結し、拡大されたステージ面１７を、「拡張ステージ面」ともいう。
【００２５】
また、ステージ面１７は、平面状に形成されており、その面上には複数の設置穴（第１設置穴１８、第２設置穴１９）が設けられている。そして、このステージ面１７（拡張ステージ面）に装飾物を展示する（設置する）態様としては、この設置穴に装飾物の一部を挿入して設置（固定設置）する態様や、この設置穴に装飾物を支持するための支持部材の一部を挿入して当該支持部材で装飾物を支持して設置（支持設置）する態様や、これら設置穴を利用することなく、ステージ面１７に単に載置する態様を挙げることができる。尚、図１（ａ）に示す４個の装飾物は、詳細は後述するが、装飾物が有するプラグ８３（「接続端子」ともいう）をステージ面１７の第１設置穴１８（通電固定穴４７）に挿入する態様で設置されている。また、この装飾物は、発光部（光源）を有しているため、「発光装飾物」８１ともいう。また、第１設置穴１８及び第２設置穴１９を、装飾物を設置可能な「設置部」、「特定設置部」ともいう。
【００２６】
また、詳細は後述するが、第１展示部材１１のステージ面１７に形成される第１設置穴１８の一部又は全部（第１実施形態では一部）は、電力を供給可能な電源ユニット１５１（電力供給部）と通電可能に接続することが可能である。そして、この電源ユニット１５１と接続された第１設置穴１８は通電設置穴（「通電穴」、「通電設置部」ともいう）とされ、この通電設置穴にプラグを挿入して設置した発光装飾物８１は、当該発光装飾物８１が有する発光部８４を発光可能となる。また、第２設置穴１９は、装飾物３や、装飾物３を装飾するための図示しないオプション部材（例えば、ミラー、マジックミラー、表示装置等）や、装飾物を支持するための支持部材（これらを総じて「装飾物等」ともいう）を固定するための設置穴とされており、前述した通電設置部とはならない。
【００２７】
また、展示ケース１の天井面を形成する天井部材５は、展示台４と同じ個数である４個（複数）の第２展示部材６１を連結して薄型の略箱形状（直方体形状）に形成されている。天井部材５（第２展示部材６１）の表面（図示下面）には平面状の発光ステージ面７９が形成されている。この発光ステージ面７９は、第２展示部材６１の夫々が有しており、図１のように第２展示部材６１を連結して構成した場合には、複数の第２展示部材６１の発光ステージ面７９が連なって（連結されて）、発光ステージ面７９が大きく形成される。すなわち、第２展示部材６１を連結する程、発光ステージ面７９を大きく形成することが可能となる。複数のステージ面１７を連結した拡大されたステージ面１７を、「拡張ステージ面」ともいう。
【００２８】
尚、本第１実施形態では、展示ケース１を直方体状としているため（立方体状であってもよい）、展示台４のステージ面の表面積と、天井部材５の発光ステージ面の表面積とは、略同じとされている。また、第１展示部材１１と第２展示部材６１とは外形サイズが略同じサイズとされているため、展示台４を構成するために連結する第１展示部材１１の個数と、天井部材５を構成するために連結する第２展示部材６１の個数と、は同じ個数とされる。これにより、展示ケース１を直方体状又は立方体状の箱形状とすることが可能となる。
【００２９】
また、詳細は後述するが、天井部材５を構成する第２展示部材６１の内部には発光部材（ＬＥＤチップ７４）が設けられ、当該発光部材（ＬＥＤチップ７４）は電力を供給可能な電源ユニット１５１（電力供給部）と通電可能に接続されている。そして、発光部材（ＬＥＤチップ７４）が所定態様で点灯すると、当該発光部材の光が、光透過性（透光性）の材料（素材）（例えば、ポリカーボネート、ＡＢＳ樹脂等）で形成された発光ステージ部材６２の発光ステージ面７９を介して、展示空間６に照射される。従って、この発光ステージ面７９を「発光部」ともいう。これにより、展示ケース１内の所定箇所に展示され、展示空間６内に存在する装飾物３を、展示台４に設置された発光装飾物８１、及び／又は、天井部材５に設けられた発光部によって様々な角度、位置から照射し、装飾物３や展示ケースの装飾性を高めることが可能となる。尚、前述した第１展示部材１１及び第２展示部材６１を、装飾物を設置可能な「設置部材」ともいう。また、特に、第２展示部材６１を、装飾物を設置可能な設置部を照射可能な発光部を有する「発光設置部材」ともいう。
【００３０】
ここで、本第１実施形態では、発光ステージ部材６２を光透過性の材料で形成するものとしたが、より具体的には、透明のポリカーボネート（ＰＣ）で形成している。また、第２展示部材６１の光拡散板６３及び仕切りフレーム６４も同様に、透明のポリカーボネート（ＰＣ）で形成している。尚、これら発光ステージ部材６２、光拡散板６３及び仕切りフレーム６４は、ＬＥＤ中継基板６５に実装されるＬＥＤチップ７４の光を発光ステージ面７９から外方（展示空間６）に照射できれば足りるため、材料は透明のポリカーボネート（ＰＣ）に限定されない。例えば、所定色に着色した透過性の材料で形成してもよい。また、ハウジング６６はＡＢＳ樹脂で形成している。
【００３１】
また、第１展示部材１１は、ステージ部材１２をポリカーボネート（ＰＣ）で形成し、ハウジング１４及び通電ジャック１５はＡＢＳ樹脂で形成している。また、後述する連結部材は、背面側連結部材１２１、正面側連結部材１２６、側方側連結部材１３１、１３５をポリカーボネート（ＰＣ）で形成し、底部連結部材１３９をＡＢＳ樹脂で形成している。これは、展示物（展示ケース１）を見る者の目に触れる可能性が高い部材は表面を比較的綺麗に成型可能なポリカーボネートで形成し、目に触れる可能性が低い部分は安価なＡＢＳ樹脂で形成している。然しながら、各部品を形成する材料はこのような態様に限らず、全てＡＢＳ樹脂で形成してもよいし、全てポリカーボネートで形成してもよいし、他の材料で形成してもよい。
【００３２】
次に、図２、図３及び図６に基づいて、展示ケース１の展示台４（床部材）を構成する第１展示部材１１について説明する。図２に示すように、第１展示部材１１は、装飾物３を設置可能（展示可能な）なステージ面１７を有するステージ部材１２と、ステージ部材１２と組合されて箱形状の箱体を構成するハウジング１４と、当該箱体の内部空間（収納空間）に設置される中継基板１３と、ステージ面１７上の所定の装飾物設置穴（第１設置穴１８）を電源ユニット１５１と電気的に接続可能にする通電ジャック１５と、を少なくとも含んで構成されている。そして、所定の通電ジャック１５及び中継基板１３を所定の配線（電気配線）で接続すると共に、これら、ステージ部材１２、複数個（４個）の通電ジャック１５、中継基板１３、及び、ハウジング１４を、所定の位置で嵌め合わせ、４個のビス１６で固定することで、第１展示部材１１を構成している。
【００３３】
ステージ部材１２は、図２に示すように、ステージ面１７と対向する側が開口した凹状の箱形状に形成されている。また、ステージ面１７（図示上面）は１辺が１００ｍｍの正方形状とされ、その表面（図２の図示上方側面）は略平面状とされている。尚、第１展示部材１１（第２展示部材６１も同様）の厚みは、およそ２５ｍｍ程度とされている。また、ステージ部材１２には、ステージ面１７の裏面側空間を取り囲むように、ステージ面１７と垂直方向に周壁部３７が設けられている。そして、ステージ面１７の角部であって、周壁部３７の四隅には、第１展示部材１１の各パーツを固定するための固定部３８が設けられている。各固定部３８には、ビス１６を挿入する固定穴３９が設けられている。
【００３４】
また、ステージ面１７上には、装飾物等を固定して設置するための設置穴（第１設置穴１８、第２設置穴１９）が複数設けられている。ここで、図２においてステージ面１７に示す領域Ｐの拡大図を図６に示す。図６に示すように、第１設置穴１８は、直径５．２ｍｍの円形状に形成されており、この第１設置穴１８には、ステージ面１７（ステージ部材１２）の裏面側（図示下方側）から、通電ジャック１５又は非通電ジャック１０１の先端部４８、１０３が挿入される。通電ジャック１５の先端部４８（非通電ジャック１０１も同様）は、第１設置穴１８に挿入して嵌合するように、外径が５．０ｍｍの円筒形状とされている。また、通電ジャック１５の本体部内部には、先端部から下端部まで直径３．６ｍｍの円筒形状の通電固定穴４７が貫通して形成されている。
【００３５】
これにより、装飾物等が有する突起部（例えば、プラグ８７等）を、ステージ部材１２の裏面側（第１展示部材１１の内部空間側）に設置された通電ジャック１５の通電固定穴４７に対して、ステージ面１７側（ステージ部材１２の図示上方側）から挿入し、当該装飾物等をステージ面１７上（展示空間６内）に固定・設置することを可能とする。尚、この第１設置穴１８は、ステージ面１７の四隅に１箇所ずつ、合計４個形成されている。尚、本第１実施形態ではステージ面１７上に形成する第１設置穴１８の数を４個としたが、３個以下としても、５個以上としても何個でもよい。第２設置穴１９についても同様である。
【００３６】
また、第２設置穴１９は、図６に示すように、１辺が２．２５ｍｍで、長い方の対角線が４．５ｍｍの六角形状（正六角形状）に形成されている。第２設置穴１９は、第１設置穴１８のように通電ジャック等を嵌合することなく、直接装飾物等の突起部（例えば、図６（ｄ）の支持部材のステージ側挿入突起１１３等）を挿入して固定する。従って、第２設置穴１９の固定穴の深さは、第１設置穴１８の固定に際して挿入する通電固定穴４７よりも浅く形成されている。このため、穴形状を断面が六角形の六角柱状の穴形状とし、当該固定穴に突起部を挿入した際の、当該突起部を挟み込む圧力を強め、突起部（ステージ側挿入突起１１３等）を強く固定することを可能としている。尚、第１実施形態では、第２設置穴１９の穴形状を六画形状としたが、多角形状であればよい。
【００３７】
また、図３に示すように、ステージ部材１２の裏面側（第１展示部材１１の内部空間側）の第１設置穴１８に対応する位置には、通電ジャック１５（又は、非通電ジャック１０１）を嵌合して固定するための、角筒状のジャック嵌合部４０が４箇所設けられている。ジャック嵌合部４０の通電ジャック嵌合部は、通電ジャック１５の直方体状の本体部４５が挿入可能なように（嵌合する）通電ジャック１５の外形よりも若干大きい直方体形状とされている。また、同じくステージ部材１２の裏面側には、ステージ部材１２の変形等を防ぎ、補強するための十字状の補強リブ４３が立設して形成されている。また、この補強リブ４３の所定箇所には、第２設置穴１９が延設して一体的に形成されており、この補強リブ４３により第２設置穴１９も補強している。また、ステージ部材１２の裏面側には、中継基板１３を第１展示部材１１の内部空間内の所定位置に位置決めして固定するための、固定突起４１が４箇所設けられている。また固定突起４１の先端には突部４２が設けられ、この突部４２が中継基板１３の貫通穴２３に挿入されて、位置決め固定される。
【００３８】
また、通電ジャック１５は、図２及び図６に示すように、角筒状の本体部４５と、本体部４５の一方側端部に設けられる円筒状の先端部４８と、４個の接続端子４６と、係合突起５０とを含んで構成されている。また、通電ジャック１５の内部には、先端部側の一方側端部から本体部側の他方側端部まで貫通する円筒状の通電固定穴４７が形成されている。そして、この通電固定穴４７の内側の所定位置には、４個の接続端子が夫々配置されている。つまり、４個の接続端子は、夫々、一部を通電固定穴４７の内部に通電可能に露出すると共に、通電ジャック１５の本体部４５の外方にも延出して（露出して）設けられている。これにより、通電固定穴４７に通電プラグ（プラグ８３）を挿入するだけで、当該挿入した通電プラグ（プラグ８３）と、通電ジャック１５の接続端子４６と、を通電可能に接続することを可能にしている。
【００３９】
尚、第１実施形態では、この通電ジャック１５の通電固定穴４７に挿入するプラグとして、４極プラグ（４個の通電部を有する通電プラグ）を採用しており、通電固定穴４７内部に位置する４極の接続端子４６の夫々が、これら４極プラグの４個の通電部と夫々接続可能となっている。一方、本体部４５から外方に延出する（突出する）４個（４極）の接続端子４６は、後述する第１配線１５３（ジャック接続配線）のコネクタ１５５（４極コネクタ）に嵌挿され、夫々通電可能に接続される。また、係合突起５０はコネクタ１５５の係合凹部に嵌挿され、これにより、通電ジャック１５とコネクタ１５５との結合強度を高めることが可能となる。
【００４０】
また、通電ジャック１５の通電固定穴４７には、図７に示す発光装飾物８１や発光装飾物８５等に例示される電気的駆動部（ＬＥＤ、モータ、ソレノイド、スピーカ等）を有する装飾物（「電気的装飾物」ともいう）のプラグ（プラグ部）が挿入される。図７に示すように、発光装飾物８１及び発光装飾物８５のプラグ８３、８７として、４極プラグを採用しており、このプラグ８３、８７を通電固定穴４７に挿入することで、４極プラグの夫々の通電部（電極）が、通電ジャック１５の通電固定穴４７の内部に設けられた４極の接続端子４６（電極）の夫々と通電可能に接続される。
【００４１】
ここで、通電ジャック１５を、第１配線１５３（ジャック接続配線）、中継基板１３、第３配線１５９（電源ケーブル）等を介して電源ユニット１５１に接続し、この通電ジャック１５の通電固定穴４７に挿入される電気的装飾物に対して電力を供給可能とした場合において、この通電固定穴４７を「通電穴」や「通電設置部」ということもある。また、第１設置穴１８及び通電固定穴４７を、夫々又は総じて「通電穴」や「通電設置部」ということもある。
【００４２】
ここで、本第１実施形態では、図６（ｃ）に示すように、外形形状及びプラグを挿入する貫通状の固定穴の形状が、前述した通電ジャック１５と略同じで、ステージ部材１２のジャック嵌合部４０に嵌合可能な非通電ジャック１０１を備えている。ジャック嵌合部４０の全てに電源ユニット１５１と接続可能な通電ジャック１５を設置しておき、「通電穴（通電設置部）」として設定したい通電ジャック１５の接続端子４６にのみ第１配線１５３を接続して、他の通電ジャック１５の接続端子４６には第１配線１５３を接続しないといった接続態様としてもよい（例えば、図５に示す態様）。
【００４３】
また、このような接続態様に替えて、第１配線１５３を接続しない、すなわち、第１設置穴１８を「通電穴（通電設置部）」として設定しない箇所（ジャック嵌合部４０）には、接続端子４６を有していない非通電ジャック１０１を設置してもよい（例えば、図１３に示す態様）。これにより、コストを低減しつつ、第１設置穴１８（非通電固定穴１０４）を装飾物等の固定穴として用いることが可能となる。もちろん、発光部は発光しないが、非通電固定穴１０４に対して、発光装飾物８１、８５のプラグ８３、８７を挿入し、非発光の装飾物として設置し、飾ることが可能である。この非通電固定穴１０４を、「非通電穴」や「非通電設置部」ということもある。また、第１設置穴１８及び非通電固定穴１０４を、夫々又は総じて「非通電穴」や「非通電設置部」ということもある。
【００４４】
また、本第１実施形態では、装飾物（発光装飾物）として、図７（ａ）及び（ｂ）に示すタイプの発光装飾物８１と、図７（ｃ）及び（ｄ）に示すタイプの発光装飾物８５と、を例示しているが、通電ジャック１５の通電固定穴４７に挿入可能な４極プラグ（３．５ｍｍプラグ）を備えていれば、他のタイプの電気的装飾物を飾る（展示する）ことも可能である。例えば、通電穴に設置可能なプラグを有する電気的装飾物として、発光部の高さが異なる発光装飾物を設けてもよい。また、ひも状の電気配線の一方側にプラグ、他方側に発光部を備え電気配線の届く範囲内の任意の箇所に発光部を設置可能な発光装飾物を設けてもよい。このように、通電穴に設置可能なプラグさえ有していれば、多様な形状の電気的装飾物を設置可能であり、展示ケース１に展示する装飾物の大きさや、形状、世界観に合わせて、多様な装飾態様（発光態様）を容易に選択、設定することが可能となる。
【００４５】
また、図７（ａ）及び（ｂ）に示す発光装飾物８１は、１灯のスポットライト形状の装飾物とされている。この発光装飾物８１の本体部８２の一方側端部に第１設置穴１８（通電固定穴４７又は非通電固定穴１０４）に挿入可能な棒状のプラグ８３（「挿入部」ともいう）を備え、他方側端部に１個の発光部８４を備えている。このプラグ８３は断面が円形状とされ、その太い部分の直径が３．５ｍｍとされている。
【００４６】
本体部８２内部には発光部から光を照射するφ５ｍｍのＬＥＤ（光源）を備えており、このＬＥＤが、プラグ８３、通電ジャック１５の接続端子４６、中継基板１３等を介して、電源ユニット１５１と通電可能に接続されることで、所定の点灯態様（点灯パターン、発光色）で発光可能となる。そして、この発光装飾物８１を所定の点灯態様で発光することで、ステージ面１７の他の位置に展示される装飾物３を照射し、装飾効果を高めることが可能となる。また、この発光装飾物８１は、通電固定穴４７に挿入した状態で、プラグ８３を回転軸として（ステージ面１７と平行面上を）自在に（３６０度）回転可能とされており、どの回転位置においても、発光可能とされている。これにより、装飾物３をステージ面や展示空間６のどの位置に展示しても、効果的に光を照射し、装飾性を高めることが可能となる。また、発光装飾物８１の先端部（発光部）を側面に「Ｆ」の文字が書かれた円筒部内部には図示しない回動軸を有している。そして、図７に示すように、当該回動軸を軸として、上下方向に（ステージ面１７と垂直面上を）９０度の回動範囲内で回動可能な構造とされている。尚、図７（ａ）及び（ｃ）は、何れも上下方向に４５度回動させた状態を示している。これにより、左右方向、上下方向のあらゆる位置に対して効果的に光を照射し、装飾性を高めることが可能となる。
【００４７】
また、図７（ｃ）及び（ｄ）に示す発光装飾物８５は、３灯のスポットライト形状の装飾物とされている。この発光装飾物８５の本体部８６の一方側端部に第１設置穴１８（通電固定穴４７又は非通電固定穴１０４）に挿入可能な棒状のプラグ８７（「挿入部」ともいう）を備え、他方側端部に３個（複数個）の発光部８８を備えている。また、本体部８６内部には３個の発光部８８から光を照射するφ５ｍｍのＬＥＤ（光源）を、夫々の発光部８８に対応して少なくとも３個備えており、このＬＥＤが、プラグ８７、通電ジャック１５の接続端子４６、中継基板１３等を介して、電源ユニット１５１と通電可能に接続されることで、所定の点灯態様（点灯パターン、発光色）で発光可能となる。尚、３個の発光部８８から異なる発光色の光を照射してもよいし、同じ色の光を照射してもよい。
【００４８】
そして、この発光装飾物８５を所定の点灯態様で発光することで、発光装飾物８１と同様に、ステージ面１７の他の位置に展示される装飾物３を照射し、装飾効果を高めることが可能となる。また、発光装飾物８５は、発光装飾物８１と同様に、プラグ８７を回転軸として左右方向に自在に（３６０度）回転可能とされると共に、回動軸９０を軸として上下方向に９０度の回動範囲内で自在に回動可能な構造とされている。ここで「装飾物」には、それ自体が装飾となるものや、他の装飾物を装飾するものの両方を含むものとする。
【００４９】
また、第１展示部材１１の中継基板１３（「中継部」ともいう）は、図２、図３及び図５等に示すように、略四角形の平板状に形成されており、第１展示部材１１の内部空間の所定位置に位置決めして、設置されている。中継基板１３の平板状の平面（配線パターン設置面）には、表裏に貫通する４個の貫通穴２３が設けられている。また、中継基板１３の平面の一方側面には、６個のコネクタ（通電コネクタ）が設置されている。具体的には、通電ジャック１５と通電可能に接続可能な第１コネクタ２０（「接続端子」ともいう）を４個と、電源ユニット１５１及び他の中継基板１３の何れか一方と通電可能に接続可能な第２コネクタ２１（「接続端子」ともいう）を１個と、他の中継基板１３と通電可能に接続可能な第３コネクタ２２（「接続端子」ともいう）を１個の計６個のコネクタを備えている。尚、通電ジャック１５と接続可能な第１コネクタ２０の数は、通電穴に設定可能な第１設置穴１８の数と同じ４個とされている。すなわち、第１展示部材１１が有する全ての第１設置穴１８を同時に通電穴に設定することが可能である。但し、このような態様に限定されず、他の態様として、中継基板１３に第１コネクタ２０を、第１設置穴１８の数よりも多い数設けてもよいし、逆に第１設置穴１８の数よりも少ない数設けてもよい。
【００５０】
また、この６個のコネクタのうち所定のコネクタを、電源ユニット１５１及び所定の通電ジャック１５に接続することで、第１設置穴１８（通電固定穴４７）を「通電穴」とすることが可能となる。また、所定のコネクタ（第３コネクタ２２）を、連結する他の第１展示部材１１の中継基板１３の所定のコネクタ（第２コネクタ２１）に接続することで、他の中継基板１３（他の第１展示部材１１の第１設置穴１８に設置される発光装飾物）に対しても、電源ユニット１５１からの電力を供給することが可能となる（図５等を参照）。
【００５１】
また、中継基板１３は、内部空間において、コネクタ設置面をハウジング１４側（図２の図示下方）に向けて設置される。そして、ステージ部材１２の固定突起４１の突部４２が、コネクタ非設置面側から貫通穴２３に挿入され、ハウジング１４のハウジング側固定突起２６が、コネクタ設置面側から貫通穴２３に挿入される。また、これらは夫々４個ずつ設けられているので、夫々が対応する位置で挿入される。そして、ステージ部材１２とハウジング１４とを嵌合して閉じると、ステージ部材１２の固定突起４１の突部４２が、貫通穴２３を介して、ハウジング１４のハウジング側固定突起２６の位置決め穴２５に挿入され、結合される。これにより、中継基板１３は第１展示部材１１の内部空間の所定位置にしっかり位置決め固定され、展示ケース１に振動等を加えても、中継基板１３の設置位置がずれることがない。
【００５２】
また、ハウジング１４は、図２に示すように、内側底面３２と対向する側が開口した凹状の箱形状に形成されており、その外形辺（外側周壁部３１の上端辺）は１辺が１００ｍｍの略正方形状とされる。また、ハウジング１４の内側底面３２の周縁部から、内側底面３２と垂直方向に、当該内側底面３２上の空間を取り囲むように、内側周壁部２９が所定高さで立設されている。そして、内側周壁部２９の上端部から内側底面３２と平行方向であって、外方に向けて鍔部３０が所定幅延設されている。そして鍔部３０の端部から、内側底面３２と垂直方向に（内側周壁部２９と平行方向に）、当該内側底面３２上の空間を取り囲むように、外側周壁部３１が所定高さで立設されている。また、これら内側周壁部２９、鍔部３０、外側周壁部３１により、段部が形成される。
【００５３】
また、外側周壁部３１の角部の四隅には、ステージ部材１２の固定部３８及びビス１６を挿入可能な係合穴２８が設けられている。そして、ステージ部材１２とハウジング１４とを嵌合して第１展示部材１１を構成するに際して、係合穴２８の一方側からステージ部材１２の固定部３８を挿入し、係合穴２８の他方側からビス１６を挿入すると共に、当該ビス１６を固定部３８の固定穴３９に挿入することで、ビス１６により、ステージ部材１２及びハウジング１４を係合固定させる。これにより、第１展示部材１１を構成する。
【００５４】
また、図３（ｂ）に示すように、ハウジング１４の裏面側（外側底面側）であって、鍔部３０の外側底面には、他の第１展示部材１１（又は、第２展示部材６１）を連結するための、多数（複数）の連結穴３４が設けられている。また、四角形状の第１展示部材１１の４辺のうち、どの辺側にも連結可能なように、４辺の鍔部３０の外側底面の夫々に、４個ずつの連結穴３４が設けられている。また、内側周壁部２９の角部の四隅には、ジャック固定部３６が設けられている。そして、このジャック固定部３６の先端部により、ジャック嵌合部４０に嵌合された通電ジャック１５又は非通電ジャック１０１の下端部（先端部４８の反対側端部）を押さえている。これにより、ジャック嵌合部４０に嵌合される通電ジャック１５又は非通電ジャック１０１がガタついたり、位置ズレしたりするのを極力防止することが可能となる。
【００５５】
また、外側周壁部３１の各辺の略中央位置には上端から所定の深さで切り欠いた切欠部が形成されている。この切欠部は、他の第１展示部材１１又は第２展示部材６１と連結する場合や、電源ユニット１５１と接続する場合に、所定の配線を引き出す（引き入れる）ための配線穴２７とされている。また、第１展示部材１１の４辺のうち、どの辺側にも第１展示部材１１や第２展示部材６１を連結可能なように、４辺の外側周壁部３１の夫々に配線穴２７を設けている。また、内側底面３２から立設するハウジング側固定突起２６は、前述した通り、中継基板１３を所定位置に位置決め固定するためのものである。
【００５６】
以上説明したように、通電ジャック１５（又は非通電ジャック１０１）、中継基板１３及び電源ユニット１５１を所定の態様で電気的に接続すると共に、ステージ部材１２及びハウジング１４の内部空間の所定位置に収納、設置し、ステージ部材１２及びハウジング１４をビス１６で係合固定することで、第１展示部材１１を構成している。これにより、複数（４箇所）設けられた第１設置穴１８のうち、任意（０〜４個）の第１設置穴１８を「通電穴（通電設置穴）」として設定することが可能となる。また、第１展示部材１１を複数（例えば、４個）連結した場合には、当該連結された第１展示部材１１が有する複数（例えば、１６個）の第１設置穴１８のうち、任意（０〜１６個）の第１設置穴１８を「通電穴（通電設置穴）」として設定することが可能となる（図３を参照）。
【００５７】
尚、第１展示部材１１を複数（例えば、４個）連結した場合において、全ての第１設置穴１８（例えば、１６個）を通電穴に設定して、発光装飾物８１を設置して発光させてもよい。然しながら、発光装飾物８１の数が多いほど装飾性が高まるわけではなく、適度な数だけ設置する方が、全体として装飾性が高い場合もある。また、多数（例えば、２０個）の第１展示部材１１を連結して、全ての第１設置穴１８（８０個）に発光装飾物８１を設置して発光させた場合には、電源ユニット１５１の電気容量が不足し、光量不足となる虞もある。これらを考慮して、通電ジャック１５を付属させることで（例えば、４個を推奨）、発光装飾物８１の発光部の照射態様が光量不足となるのを極力防止することが可能となる。
【００５８】
また、発光装飾物８１の設置個数を制限するとしても、設置位置は制限されないので、連結した第１展示部材１１の第１設置穴１８のうち、任意の設置穴を通電穴に設定することが可能となる。図２に示すように、本第１実施形態では、４個の第１展示部材１１を正方形状となるように連結し、連結したステージ面１７（拡張ステージ面）の角部に位置する四隅の第１設置穴１８を通電穴に設定している。もちろん、通電穴の設定位置はこれに限らず、任意の第１設置穴１８を通電穴に設定することが可能である。通電穴として設定する第１設置穴１８の位置や個数は、展示台４（飾り台）のステージ面１７（拡張ステージ面）や展示空間６に展示される（飾られる）他の装飾物等の設置位置（展示位置）や、大きさ、形状等との兼ね合いで、選択し、設定することが可能である。また、連結する第１展示部材１１（又は第２展示部材６１）の個数や連結態様（長方形状、正方形状、階段状、山形状、三角状等）も任意に設定することが可能である。
【００５９】
次に、図４及び図９を用いて、展示台４（飾り台）の連結構造について説明する。本第１実施形態では、４個の第１展示部材１１を正方形状（２行２列）となるように、縦横同数（２個ずつ）配置して、展示台４を構成している。図４に示すように、この４個の第１展示部材１１を連結するための連結部材として、４種類、８個の連結部材を備えている。具体的には、展示台４の正面側となる２個の第１展示部材１１の側面（正面側側面）を被覆して連結する正面側連結部材１２６と、展示台４の背面側となる２個の第１展示部材１１の側面（背面側側面）を被覆して連結する背面側連結部材１２１と、展示台４の左右側方側となる２個の第１展示部材１１の側面（側方側側面）を被覆して連結する側方側連結部材１３１、１３５を２個と、展示台４を底面側から連結する底部連結部材１３９を４個と、を備えている。
【００６０】
そして、各連結部材１２１、１２６、１３１、１３５、１３９の連結穴１２５、１２９、１３４、１３８、１４０を、第１展示部材１１の底面側に設けた連結穴３４に夫々合わせ、各連結部材と複数の第１展示部材１１とを、ビスにより固定する。尚、ビスは図４の図示下方から上方に向けて連結部材の連結穴及び第１展示部材１１の連結穴に挿入し、ねじ込み固定する。これにより、図９に示すように、複数（４個）の第１展示部材１１が連結部材によって連結されて、拡張ステージ面が形成された展示台４が構成される。また、連結部材は、複数の第１展示部材１１を連結した場合に生じる展示部材同士の繋ぎ目を被覆する化粧カバーの役割も果たしており、このことから連結部材１２１、１２６、１３１、１３５、１３９を「カバー部材」や「被覆部材」ともいう。尚、複数の第１展示部材１１（又は第２展示部材６１）を連結した展示台４を「拡張展示台」ともいう。
【００６１】
また、図４に示すように、正面側連結部材１２６は、連結される第１展示部材１１の側面と略平行方向に立設する周壁部１２７と、周壁部１２７の下部から当該周壁部１２７と垂直方向に延設され、第１展示部材１１と連結するための複数（８個）の連結穴１２９が形成された底面部１２８と、を備えている。また、正面側連結部材１２６は、展示台４を設置した際の正面側（展示ケース１及び展示された装飾物等を見る頻度の高い側）に位置する連結部材であるため、正面側から見た際の意匠性、装飾性を高めるため、展示台４の正面側側面全体を被覆するのに加え、展示台４の左右側面側に折り曲げて形成し、当該左右側面側の一部を被覆するように、コの字状に形成されている。これにより、展示台４の正面側角部において、連結部材同士の接点が生じ、当該接点のズレ等によって意匠性、装飾性が低下するのを防ぐことが可能となる。また、連結部材をコの字状に形成したことで、連結の強度を高くし、複数の第１展示部材１１を連結した展示台４の連結が外れてしまうのを極力防止することが可能となる。
【００６２】
また、背面側連結部材１２１は、周壁部１２２と、複数（８個）の連結穴１２５が形成された底面部１２３と、を備え、前述した正面側連結部材１２６と外形が略同様のコの字状に形成されている。また、背面側連結部材１２１は、展示台４を設置した際の背面側（後面側）に位置し、第１展示部材１１の内部に設置される中継基板１３と電源ユニット１５１とを接続する第３配線１５９（電源ケーブル）が挿通する配線穴１２４が形成されている。尚、背面側連結部材１２１の周壁部１２２に形成される配線穴１２４は、当該背面側連結部材１２１によって連結する第１展示部材１１の個数に合わせて２箇所とされている。
【００６３】
また、図４、図５及び図９に示すように、背面側連結部材１２１の配線穴１２４は、第１展示部材１１の配線穴２７と対向する位置に夫々形成される。そして、一端側を中継基板１３の第２コネクタ２１に接続した第３配線１５９は、第１展示部材１１の配線穴２７、及び、背面側連結部材１２１の配線穴１２４に挿通されて展示台４の外方に延出し、他端側を電源ユニット１５１に接続する。これにより、電源ユニット１５１と展示台４（第１展示部材１１、中継基板１３、通電ジャック１５、発光装飾物８１等）とが通電可能に接続され、電源ユニット１５１に設けられた電源スイッチ１５２をＯＮにすることで、任意の通電穴に挿入、設置された発光装飾物を発光することが可能となる（図５参照）。
【００６４】
また、前述した正面側連結部材１２６を手前側にして展示台４を設置した際に、展示台４の左側側面を連結する側方側連結部材１３１（一側方連結部材）と、右側側面を連結する側方側連結部材１３５とは、同じ形状とされており、第１展示部材１１同士の側方側の繋ぎ目を被覆して連結している。また、側方側連結部材１３１、１３５は、周壁部１３２と、複数（６個）の連結穴が形成され、周壁部１３２、１３６の下部から周壁部１３２、１３６と垂直方向に延設される底面部１３３、１３７と、を備え、断面Ｌ字状に形成されている。また、底部連結部材１３９は、複数（４個）の連結穴が形成され、長方形平板状に形成されている。この底部連結部材１３９は、展示台４の底面（ステージ面１７と反対側の面）において、隣り合う２個の第１展示部材１１を連結するものであり、第１実施形態のように、４個の第１展示部材１１を連結する場合には、４個の底部連結部材１３９を用いて強固に連結している。
【００６５】
ここで、図５等に示す電源ユニット１５１は、第１展示部材１１の中継基板１３と接続され、中継基板１３及び中継基板１３に接続される通電ジャック１５等を介して、通電穴に設置される電気的装飾物（発光装飾物８１等）に対して電力を供給するものである。また、後述する第２展示部材６１のＬＥＤ中継基板６５と接続され、当該ＬＥＤ中継基板６５に実装されるＬＥＤチップ７４（光源）に対して電力を供給するものである。すなわち、電源ユニット１５１は、電力を供給する「電力供給部」として機能する。この電源ユニット１５１の内部には、所定量の電気（電力）を蓄積可能な二次電池（蓄電池）が内蔵されており、電源ユニット１５１の所定箇所に所定の充電用ケーブルを接続して、当該二次電池を充電することが可能となっている。そして充電された二次電池により電源ユニット１５１に接続された電気部品等に電力を供給する。尚、電源スイッチ１５２をＯＮ側に押圧すると、電力供給可能な状態とされ、ＯＦＦ側に押圧すると電力供給が遮断される。
【００６６】
次に、図８及び図９に示すように、展示台４を構成する複数の第１展示部材１１と、これら複数の第１展示部材１１を連結し、外周側面部を被覆する連結部材１２１、１２６、１３１、１３５との間には、展示ケース１の側面部を覆う長方形平板状のアクリル板２を挿入して固定するための、挿入溝１４１が形成されている。尚、図８（ａ）は展示ケース１を正面側から見た図であり、図８（ｂ）は、展示ケース１を図８（ａ）の二点鎖線で示すＡ−Ａ断面を示す図である。尚、発光装飾物８１のプラグ８３は第１設置穴１８に嵌合される通電ジャック１５の通電固定穴４７に対して、図８（ｂ）に示すように挿入されることで、プラグ８３と通電ジャック１５の接続端子４６とが通電可能に接続されている。
【００６７】
また、図９に示すように、挿入溝１４１は展示台４の４辺に、連結された第１展示部材１１の外周に沿って形成されており、４枚のアクリル板２が、当該４辺の挿入溝１４１に夫々挿入されることで、固定される。尚、図８に示すように、挿入溝１４１は、展示台４と同様、天井部材５にも同形状で形成されており、アクリル板２の下端部を展示台４の挿入溝１４１に挿入し、アクリル板２の上端部を天井部材５の挿入溝１４１に挿入することで、４枚のアクリル板２と、展示台４と、天井部材５とを固定することが可能となる。これにより、４枚の透明アクリル板２で、展示台４のステージ面１７上の展示空間６の四方全てを取り囲み、展示ケース１を構成している。
【００６８】
次に、図１、図６及び図９を用いて、展示ケース１の展示空間６内に展示される装飾物３及び装飾物３を支持固定するための支持部材１１０について説明する。第１実施形態では、図１及び図９に示すように、４個の第１展示部材１１を連結して展示台４を形成している。そして、展示台４のステージ面１７（拡張ステージ面）には、第１設置穴１８及び第２設置穴が形成されている。このステージ面１７に装飾物等を設置する場合には、第１設置穴１８に装飾物の一部を挿入して固定設置するか、第２設置穴１９に装飾物の一部を挿入して固定設置するか、又は、設置穴１８、１９に装飾物等の一部を挿入することなく単にステージ面１７上に載置するものとする。
【００６９】
後者の態様、すなわち、装飾物３を、当該装飾物３の一部を設置穴に挿入することなくステージ面１７上に単に載置する場合において、装飾物３のステージ面１７と接する部分の面積が小さい場合や、重心の位置関係でバランスが悪い場合等には、展示ケース１に加えた振動によって、装飾物３が転倒したり、位置ズレしたりする場合がある。そこで本第１実施形態では、図６に示すような棒状の支持部材１１０を設け、図９に示すように、支持部材１１０によって、ステージ面１７上に載置した装飾物３を支持することを可能としている。
【００７０】
具体的に、支持部材１１０は、図６（ｄ）に示すように、棒状の支持棒部１１１の一端側にステージ側鍔部１１２及びステージ側挿入突起１１３が設けられ、他端側に装飾物側鍔部１１４及び装飾物側挿入突起１１５が設けられている。このステージ側挿入突起１１３を、ステージ面１７上の第２設置穴１９に挿入することで、支持部材１１０をステージ面１７上に固定可能としている。尚、ステージ側挿入突起１１３は、最大直径４．３ｍｍで断面円形状の突起部とされている。また、装飾物３の背面には、図示しない挿入穴が形成されており、装飾物側挿入突起１１５を、装飾物３の挿入穴に挿入することで、支持部材１１０と装飾物３とを固定可能としている。これにより、支持部材１１０を介して、装飾物３をステージ面１７上に固定可能としている。
【００７１】
また、第２設置穴１９はステージ面１７（拡張ステージ面）上に複数個所（１６箇所）形成されており、装飾物３の設置位置（載置位置）に応じて、任意の第２設置穴１９に支持部材１１０を挿入し、固定することが可能である。また、支持部材１１０を設置する際に、ちょうどよい位置に第２設置穴１９がない場合に使用する変換部材（補助部材）として、図６（ｅ）に示す穴径変換部材１７１を備えている。穴径変換部材１７１は、鍔部１７３と、挿入突起１７５と、第２設置穴１９と同じ六角形状で同じ大きさの設置穴１７２と、を有して構成される。挿入突起１７５は、ステージ面１７上の第１設置穴１８に挿入して固定することが可能とされ、設置穴１７２には、第２設置穴１９と同様に、支持部材１１０のステージ側挿入突起１１３を挿入することが可能となっている。尚、設置穴１７２の穴の深さは、鍔部の高さの範囲内で形成されている。これにより、第１設置穴１８を第２設置穴１９に変換することが可能となっている。またこれにより、支持部材１１０の設置位置や装飾物３の設置位置（展示位置）を多様に設定することが可能となる。
【００７２】
次に、図５を用いて、複数個（４個）の第１展示部材１１を連結して構成した展示台４の配線構造について説明する。図５では、説明の便宜上、４個の第１展示部材１１を夫々第１展示部材［Ａ］、第１展示部材［Ｂ］、第１展示部材［Ｃ］、第１展示部材［Ｄ］として説明する（図５（ａ）に示す通り）。図５（ａ）は、展示台４の連結部材及びハウジング１４を取り外した状態で、ステージ部材１２、中継基板１３、通電ジャック１５、配線、電源ユニット１５１等をハウジング１４側から見た図を示している。
【００７３】
本第１実施形態では、展示台４を構成する全ての第１展示部材１１に中継基板１３を設け、そのうち、１個の中継基板１３だけを電源ユニット１５１と直接接続し、他の中継基板１３には、電源ユニット１５１を直接接続した中継基板１３を介して電源ユニット１５１と通電可能に接続し、電力を供給するものとする。また、図５（ａ）に示すように、各ステージ部材１２には夫々４個のジャック嵌合部４０が設けられており、全て（１６箇所）のジャック嵌合部４０に通電ジャック１５が嵌合設置されている。そして、これら１６箇所の通電ジャック１５から任意に選択した４箇所の通電ジャック１５を電源ユニット１５１と通電可能に接続するものとする。この４箇所は、各ステージ部材１２に１箇所ずつ設けられている。
【００７４】
まず、第１展示部材［Ａ］の第２コネクタ２１と電源ユニット１５１のコネクタとを、電源ケーブル（第３配線１５９）のコネクタ１６０、１６１によって接続する。また、第１展示部材［Ａ］の第３コネクタ２２は、拡張配線（第２配線１５６）のコネクタ１５７、１５８によって、第１展示部材［Ｂ］の第２コネクタ２１と接続される。また、第１展示部材［Ｂ］の第３コネクタ２２は、拡張配線（第２配線１５６）のコネクタ１５７、１５８によって、第１展示部材［Ｃ］の第２コネクタ２１と接続される。また、第１展示部材［Ｃ］の第３コネクタ２２は、拡張配線（第２配線１５６）のコネクタ１５７、１５８によって、第１展示部材［Ｄ］の第２コネクタ２１と接続される。尚、第１展示部材［Ｄ］の第３コネクタ２２は空コネクタ（空端子）とされる。この様に、第１展示部材［Ａ］乃至［Ｄ］の中継基板は、この順で接続されることで、各中継基板に電力が供給される。尚、拡張配線１５６により、所定の中継基板１３と他の中継基板１３とを接続する際には、当該拡張配線１５６をハウジング１４の配線穴２７を挿通して接続するものとする。これにより電気配線が展示台４（展示ケース１）の外部に必要以上に露出せず、意匠性、装飾性が低下するのを防止することが可能となる。
【００７５】
また、第１展示部材［Ａ］の第１コネクタ２０と拡張展示台の角部に位置する通電ジャック１５の接続端子４６とを、ジャック接続配線（第１配線１５３）のコネクタ１５４、１５５によって接続する。また、第１展示部材［Ｂ］の第１コネクタ２０と拡張展示台の角部に位置する通電ジャック１５の接続端子４６とを、ジャック接続配線（第１配線１５３）のコネクタ１５４、１５５によって接続する。また、第１展示部材［Ｃ］の第１コネクタ２０と拡張展示台の角部に位置する通電ジャック１５の接続端子４６とを、ジャック接続配線（第１配線１５３）のコネクタ１５４、１５５によって接続する。また、第１展示部材［Ｄ］の第１コネクタ２０と拡張展示台の角部に位置する通電ジャック１５の接続端子４６とを、ジャック接続配線（第１配線１５３）のコネクタ１５４、１５５によって接続する。
【００７６】
また、各中継基板１３には、第１コネクタ２０が４個ずつ設けられているため、３個ずつの第１コネクタ（計１２個）が空コネクタ（空端子）とされる。これにより、第１展示部材［Ａ］乃至［Ｄ］を連結して構成する拡張展示台の角部４箇所の第１設置穴１８を、電源ユニット１５１と通電可能に接続された通電穴として設定することが可能となる。尚、第１実施形態では、図１、図５及び図９等に示すように、展示台４の角部４箇所（四隅部）に位置する第１設置穴１８を通電穴として設定し、発光装飾物８１を設置する態様としたが、展示する装飾物の大きさや展示位置等に応じて、他の第１設置穴１８を通電穴として設定してもよいし、通電穴を４個より多くして発光装飾物８１を増加してもよいし、通電穴を４個より少なくして発光装飾物８１を減少してもよい。また、誤接続を防止するため、第１コネクタ２０、第２コネクタ２１、及び第３コネクタ２２のコネクタ形状を夫々異ならせている。
【００７７】
次に、図１及び図１０に基づいて、展示ケース１の天井部材５を構成する第２展示部材６１について説明する。図１０に示すように、第２展示部材６１は、平面状の発光ステージ面７９を有する発光ステージ部材６２と、発光ステージ部材６２と組み合わさることで箱形状の箱体を構成するハウジング６６と、当該箱体の内部空間（収納空間）に設置される平板状の光拡散板６３と、同じく当該箱体の内部空間に設置される仕切りフレーム６４、同じく当該箱体の内部空間に設置されるＬＥＤ中継基板６５（「中継部」、「ＬＥＤ中継部」ともいう）と、を少なくとも含んで構成されている。そして、ＬＥＤ中継基板６５を所定の配線（電気配線）で接続すると共に、これら、発光ステージ部材６２、光拡散板６３、仕切りフレーム６４、ＬＥＤ中継基板６５、及び、ハウジング６６を、所定の順序・位置で嵌め合わせ、４個のビス９９で固定することで、第２展示部材６１を構成している。
【００７８】
ここで、第１展示部材１１は、電源ユニット１５１と接続することで「通電穴」を設定し、当該通電穴に挿入・設置した電気的装飾物（例えば、発光装飾物８１）に電力を供給可能としている。これにより、第１展示部材１１とは別個の（別部材の）電気的装飾物（例えば、発光装飾物８１）の電気的駆動（発光）を可能としている。これに対して、第２展示部材６１は、内部に発光部材（ＬＥＤチップ７４）を実装したＬＥＤ基板（ＬＥＤ中継基板６５）を有しており、この発光部材を発光することで、第２展示部材６１自体を発光させることを可能としている。これにより、図１に示すように、天井部材５として第２展示部材６１を設置した場合には、展示空間６の上方から、展示空間６内や展示ケース１内に展示された装飾物を照射することが可能となる。またこれにより、装飾物及び展示ケース１の装飾性を向上させることが可能となる。
【００７９】
また、本第１実施形態では、図１に示すように、第２展示部材６１を複数連結した部材を、展示ケース１の天井部材５として用いている。然しながら、このような実施態様に限定されない。例えば、第２展示部材６１（又は、第２展示部材６１を複数連結した部材）を、床部材（展示台、飾り台）として用いることも可能である。この場合、第２展示部材６１の平板状の発光ステージ面７９上には、所定の装飾物等を設置可能（展示可能）である。そして、展示台として設置した第２展示部材６１の一部又は全部を発光することで、発光ステージ面７９上に載置した装飾物等を足元から照射すると共に、足元（ステージ面）を光らせ、装飾物及び展示ケース１の装飾性を向上させることが可能となる。
【００８０】
発光ステージ部材６２は、図１０に示すように、発光ステージ面７９と対向する側が開口した凹状の箱形状に形成されており、発光ステージ面７９（図１０の図示上面）は１辺が１００ｍｍの正方形状とされ、その表面は平面状とされている。尚、第２展示部材６１の厚みは、第１展示部材１１と同様に、およそ２５ｍｍ程度とされている。また、発光ステージ部材６２には、発光ステージ面７９の裏面側空間を取り囲むように、発光ステージ面７９と垂直方向に周壁部８９が設けられている。そして、対向する両側の（２箇所の）周壁部８９の夫々に、後述する仕切りフレーム６４の係合爪６９が係合する係合穴６７が設けられている。また、発光ステージ部材６２は、ＬＥＤチップ７４が発光した際に当該光を外部に照射するため、光透過性（透光性）の樹脂で成形されている。
【００８１】
光拡散板６３は、ＬＥＤ中継基板６５におけるＬＥＤチップ実装面積より広い面積であって、発光ステージ面７９の裏面側空間において、発光ステージ面７９の裏面側を被覆する大きさで、略正方形の平板状に形成されている。この光拡散板６３は、ＬＥＤチップ７４から出射した光を広範囲に拡散するためのもので、これにより発光ステージ面７９から見える光が、所謂点発光となるのを極力防止し、装飾性を高めることが可能となる。また、光拡散板６３の対向する２辺であって、前述した発光ステージ部材６２の周壁部８９の係合穴６７と同じ側の２辺には、夫々係合凹部６８が設けられている。そして、仕切りフレーム６４の両側の係合爪６９の間に光拡散板６３を、両係合爪６９に両係合凹部６８が嵌合するように嵌め合わせ、両係合爪６９を、発光ステージ部材６２の両係合穴６７に係合させる。これにより、仕切りフレーム６４、光拡散板６３及び発光ステージ部材６２の３部材を確実に固定係合させることが可能となる。また、この光拡散板６３の一方側面には波状に光拡散部（レンズ部）が形成されており、この波状形状によって多様な方向に光を拡散することが可能となる。また、本第１実施形態の光拡散板６３はポリカーボネートで形成しているが、これに替えて、又は加えて、塩化ビニルフィルム等の樹脂で形成した薄い光拡散シート（光拡散フィルム）を設けてもよい。
【００８２】
仕切りフレーム６４は、図１０に示すように、フレーム状の骨部材によって３行３列のマトリックス状に９箇所の正方形状の仕切り空間７０を形成している。この仕切り空間７０には、後述する複数（９個）のＬＥＤチップ７４の夫々が（１個ずつ又は１組ずつ）位置するように構成されている。そして、夫々の仕切り空間７０に位置するＬＥＤチップ７４の光が、他の仕切り空間７０に位置するＬＥＤチップ７４の光と混ざるのを極力防止することを可能としている。また、この仕切りフレーム６４の外側の対向する２辺であって、前述した発光ステージ部材６２の周壁部８９の係合穴６７と同じ側の２辺には、発光ステージ面７９側へ向けて鉤状の係合爪６９が夫々突設されている。
【００８３】
また、仕切りフレーム６４の角部の四隅には、ハウジング６６側に固定穴７２が設けられた固定部７１が形成されている。また、仕切りフレーム６４の内側の骨部材と骨部材との交差部４箇所には、夫々ハウジング６６側（ＬＥＤ中継基板６５側）に向けて突出する固定突起７３が設けられている。
【００８４】
ＬＥＤ中継基板６５は、図１０及び図１１に示すように、略正方形の平板状に形成される。また、ＬＥＤ中継基板６５の四隅には、嵌合凹部７６が設けられており、当該嵌合凹部７６が、前述した仕切りフレーム６４の四隅に設けられた４個の固定部７１の内側に挟まれるようにして、固定部７１と嵌合する。また、ＬＥＤ中継基板６５の前述した仕切りフレーム６４の固定突起７３に対向する位置には、固定突起７３と同数の挿入穴７５が設けられている。また、ＬＥＤ中継基板６５の発光ステージ部材６２側の面には、仕切りフレーム６４の９個の仕切り空間９０の略中央位置に夫々位置するように、９個（９組）のＬＥＤチップ７４が実装されている。この９個（９組）のＬＥＤチップ７４は、夫々単色のＬＥＤであってもよいし、フルカラーのＬＥＤであってもよい。
【００８５】
また、図１１に示すように、ＬＥＤ中継基板６５のハウジング６６側の面には、電源ユニット１５５及び他の第２展示部材６１が備えるＬＥＤ中継基板６５の何れか一方と電気的に接続可能な第４コネクタ７７（「接続端子」ともいう）と、他の第２展示部材６１が備えるＬＥＤ中継基板６５と接続可能な第５コネクタ７８（「接続端子」ともいう）と、が設けられている（実装されている）。そして、これら第４コネクタ７７及び第５コネクタ７８は、連結される第２展示部材６１の個数、及び連結される形状（正方形状、長方形状、山形形状等）等に応じて、コネクタ１６０、１６１を有する電源ケーブル（第３配線１５９）及びコネクタ１５７、１５８を有する拡張配線（第２配線１５６）を用いて、任意の接続態様で、電源ユニット１５１及び他の第２展示部材６１と電気的に接続される。これにより、連結される第２展示部材６１のＬＥＤ中継基板６５が電気的に接続され、電源ユニット１５１の電源スイッチ１５２をＯＮにすることで、当該ＬＥＤ基板６５に実装されるＬＥＤチップ７４を所定の発光態様で発光させることが可能となる。
【００８６】
ハウジング６６は、図１０に示すように、第１展示部材１１のハウジング１４と同様の形状とされており、内側底面９７と対向する側が開口した凹状の箱形状に形成される。従って、ハウジング６６の構造についての詳細な説明は省略する。また、外側周壁部９６の角部の四隅には、仕切りフレーム６４の固定部７１及びビス９９を挿入可能な係合穴９３が設けられている。第２展示部材６１を構成するに際しては、まず、発光ステージ部材６２、光拡散板６３及び仕切りフレーム６４を係合爪６９等で結合して上部部材を構成する。そして、上部部材（仕切りフレーム６４）の固定部７１を、間にＬＥＤ中継基板６５を挟んで、ハウジング６６の係合穴９３に挿入し、係合穴９３の反対側からビス９９を挿入すると共に、当該ビス９９を固定部７１の固定穴７２に挿入する。このビス９９により、上部部材及びハウジング６６を係合固定させる。これにより、第２展示部材６１を構成する。
【００８７】
また、上部部材と、ＬＥＤ中継基板６５及びハウジング６６と、を係合（結合）する際には、仕切りフレーム６４の４個の固定突起７３を、ＬＥＤ中継基板６５の４個の挿入穴７５に夫々挿入し、更に、当該挿入穴７５を介して、ハウジング６６の内側底面９７から立設するハウジング側固定突起９１の固定穴に挿入される。これにより、ＬＥＤ中継基板６５を第２展示部材６１の内部空間の所定位置に位置決め固定し、展示ケース１に振動等が加わった場合にも、ＬＥＤ中継基板６５に位置ズレが生じることを防止することが可能となる。また、第１展示部材１１のハウジング１４と同様に、外側周壁部９６の各辺の略中央位置には上端から所定の深さで切り欠いた切欠部が形成されている。この切欠部は、他の第２展示部材６１や第１展示部材１１と連結する場合や、電源ユニット１５１と接続する場合に、所定の配線（拡張配線、電源ケーブル）を引き出す（引き入れる）ための配線穴９２とされている。
【００８８】
また、第１展示部材１１のハウジング１４と同様、ハウジング６６の内側底面９７の裏面側（外側底面側）であって、鍔部９５の外側底面には、他の第２展示部材６１（又は、第１展示部材１１）と連結するための、多数（複数）の連結穴９８が設けられている。また、四角形状の第２展示部材６１の４辺のうち、どの辺側にも連結可能なように、４辺の鍔部９５の外側底面の夫々に、４個ずつの連結穴９８が設けられている。また、第２展示部材６１を他の第２展示部材６１（又は、第１展示部材１１）と連結する連結構造は、前述した第１展示部材１１の連結構造と同様に、背面側連結部材１２１、正面側連結部材１２６、側方側連結部材１３１、１３５、及び、底部連結部材１３９を用いて同様に行うので、詳細な説明を省略する。尚、４個の第２展示部材６１を正方形状に連結したものが、図１に示す展示ケース１の天井部材５として設置されている。
【００８９】
次に、図１１を用いて、複数個（４個）の第２展示部材６１を連結して構成した部材（天井部材５）の配線構造について説明する。図１１では、説明の便宜上、４個の第２展示部材６１を夫々第２展示部材［Ａ］、第２展示部材［Ｂ］、第２展示部材［Ｃ］、第２展示部材［Ｄ］として説明する（図１１に示す通り）。図１１は、天井部材５の連結部材及びハウジング６６を取り外した状態で、発光ステージ部材６２、ＬＥＤ中継基板６５、配線、電源ユニット１５１等をハウジング６６側から見た図を示している。尚、本第１実施形態では、第２展示部材６１を連結した部材を、展示ケース１の天井側に設置したため、天井部材５としているが、床側に設置してもよく、この場合は装飾物等を展示する展示台（床部材）ともなる。
【００９０】
本第１実施形態では、天井部材５を構成する全ての第２展示部材６１にはＬＥＤ中継基板６５を設け、そのうち、１個のＬＥＤ中継基板６５だけを電源ユニット１５１と直接接続し、他のＬＥＤ中継基板６５には、電源ユニット１５１を直接接続したＬＥＤ中継基板６５を介して電源ユニット１５１と通電可能に接続し、電力を供給するものとする。これにより、天井部材５を構成する全ての第２展示部材６１のＬＥＤチップ７４を所定の発光態様で発光可能とする。
【００９１】
まず、第２展示部材［Ａ］の第４コネクタ７７と電源ユニット１５１のコネクタとを、電源ケーブル（第３配線１５９）のコネクタ１６０、１６１によって接続する。また、第２展示部材［Ａ］の第５コネクタ７８は、拡張配線（第２配線１５６）のコネクタ１５７、１５８によって、第２展示部材［Ｂ］の第４コネクタ７７と接続される。また、第２展示部材［Ｂ］の第５コネクタ７８は、拡張配線（第２配線１５６）のコネクタ１５７、１５８によって、第２展示部材［Ｃ］の第４コネクタ７７と接続される。また、第２展示部材［Ｃ］の第５コネクタ７８は、拡張配線（第２配線１５６）のコネクタ１５７、１５８によって、第２展示部材［Ｄ］の第４コネクタ７７と接続される。尚、第２展示部材［Ｄ］の第５コネクタ７８は空コネクタ（空端子）とされる。この様に、第２展示部材［Ａ］乃至［Ｄ］のＬＥＤ中継基板６５は、この順で接続されることで、各ＬＥＤ中継基板に電力が供給される。尚、拡張配線１５６により、所定のＬＥＤ中継基板６５と他のＬＥＤ中継基板６５とを接続する際には、当該拡張配線１５６をハウジング６６の配線穴９２を挿通して接続するものとする。これにより電気配線が天井部材５（展示ケース１）の外部に必要以上に露出せず、意匠性、装飾性が低下するのを防止することが可能となる。
【００９２】
ここで、本第１実施形態では、連結した４個の第２展示部材６１を全て電気的に接続して電源ユニット１５１に接続し、全ての第２展示部材６１を発光可能としたが、このような態様に限らず、連結した複数の第２展示部材６１のうち、任意の一部の第２展示部材６１だけを発光してもよい。この場合、連結した第２展示部材６１から、発光させる第２展示部材６１を任意に選択し、発光させる１又は複数の第２展示部材６１のＬＥＤ中継基板６５と電源ユニット１５１だけを電気的に接続し、発光させない１又は複数の第２展示部材６１のＬＥＤ中継基板６５は電源ユニット１５１に接続しないものとする。また、発光させない第２展示部材６１は、第２展示部材６１の内部にＬＥＤ中継基板６５を設けないものとしてもよい。これにより、コストを低減し、軽量化することが可能となる。
【００９３】
これにより、本第１実施形態とは異なるが、例えば、９個の第２展示部材６１を正方形状（３行３列）に連結して、床部材（展示台）として設定した場合に、９個の第２展示部材６１のうち中心となる第２展示部材６１のみを電源ユニット１５１と接続し、その他は電源ユニット１５１と接続しないことで、当該中心の第２展示部材６１のみを発光させることが可能となる。そして、この中心の第２展示部材６１の発光ステージ面７９上に装飾物３を載置することで、装飾物３を展示空間内で際立たせることが可能となる。また逆に、中心の第２展示部材６１のみ電源ユニット１５１と接続せず、その周りの８個の第２展示部材６１を電源ユニット１５１と接続して、発光可能としてもよい。
【００９４】
また、本実施形態１では、第１展示部材１１（又は第１展示部材１１を連結した部材）と、第２展示部材６１（又は第２展示部材を連結した部材）と、で別個の電源ユニット１５１を用いている。然しながら、このような態様に限らず、第１展示部材１１と第２展示部材６１とを拡張配線により、接続可能とし、第１展示部材１１及び第２展示部材６１を電気的に接続することで、第１展示部材１１及び第２展示部材６１を１個の電源ユニット１５１に接続して発光制御するようにしてもよい。
【００９５】
前述したように、本第１実施形態の展示ケース１では、床部材（展示台４）を複数（４個）の第１展示部材１１を連結した部材で構成し、天井部材５を複数（４個）の第２展示部材６１を連結した部材で構成した。これにより、展示台４のステージ面１７上に配置する装飾物（「主装飾物」ともいう）の大きさや形状等に応じて、展示台４の所定位置の１又は複数の第１設置穴１８を選択して「通電穴」とし、この通電穴に挿入・設置した発光装飾物（「副装飾物」ともいう）により、任意の位置から任意の個数で装飾物や展示ケース１の展示空間６を発光・装飾することが可能となる。尚、「主装飾物」は、展示空間６に展示する主たる装飾物（展示物）であり、「副装飾物」は、展示空間６に展示される主装飾物を際立たせたり、展示空間６を彩ったりするサブ的な装飾物（展示物）である。また、ステージ面上の所定の領域であって、この「主装飾物」を設置する設置部を「主設置部」ともいい、「副装飾物」を設置する設置部（第１設置穴１８等）を「副設置部」ともいう。
【００９６】
また、天井部材５をそれ自体が発光可能な第２展示部材６１で構成したことにより、任意の第２展示部材６１を発光させて光量や発光位置を調整して、上方から展示空間６及び装飾物（主装飾物、副装飾物）を照射し装飾することが可能となる。このように、床部材及び天井部材において、電気的装飾物である発光装飾物や、任意の第２展示部材６１を、任意の位置等で発光させることを可能としたので、展示ケース１内に展示する装飾物（主装飾物）に応じて、装飾態様を様々な態様に設定することが可能となる。また、展示ケース１（展示空間６）の大きさも、連結する第１展示部材１１及び第２展示部材６１の数に応じて自在に設定可能であるので、展示ケース１の装飾態様（発光態様、展示態様）を自在に設定し、装飾性を高めることが可能となる。また、連結する第１展示部材１１又は／及び第２展示部材６１の個数を任意に設定可能としたので、装飾物３を設置可能なステージ面１７（発光ステージ面７９）の大きさ、形状を自在に設定可能とした。これにより、展示する装飾物等や展示ケース１内の展示空間６内において創り出したい世界観に合わせて、ステージ面１７（発光ステージ面７９）又は／及び展示空間６を大きくしたり、小さくしたりすることが可能となる。また、展示ケース１の四方側面に設置されるアクリル板２についても、高さの異なる複数のアクリル板を備え、任意のアクリル板を設置することで、展示ケース１の高さを設定することも可能である。
【００９７】
［第２実施形態］
前述した第１実施形態では、床部材（展示台４）を複数の第１展示部材１１を連結して構成し、天井部材５を複数の第２展示部材６１を連結して構成した。然しながら、第１展示部材１１及び第２展示部材６１の連結態様はこのような態様に限らない。図１２に示すように、第２実施形態では、第１展示部材１１と第２連結部材６１とを連結して、床部材又は天井部材を構成する例を説明する。図１２では、説明の便宜上、連結した２個の第１展示部材１１及び２個の第２展示部材６１を夫々第２展示部材［Ａ］、第２展示部材［Ｂ］、第１展示部材［Ｃ］、第１展示部材［Ｄ］として説明する（図１２に示す通り）。
【００９８】
図１２（ａ）に示すように、時計回りに第２展示部材［Ａ］の隣に第１展示部材［Ｄ］を連結し、当該第１展示部材［Ｄ］の隣に第２展示部材［Ｂ］を連結し、当該第２展示部材［Ｂ］の隣に第１展示部材［Ｃ］を連結し、当該第１展示部材［Ｃ］の隣に前述の第２展示部材［Ａ］を連結している。これにより、４個の展示部材（２個の第１展示部材１１及び２個の第２展示部材６１）を連結して、２行２列の正方形状の展示部材（展示ケースを構成する部材、床部材又は天井部材）としている。
【００９９】
また、図１２に示すように、第１展示部材［Ｃ］から任意に選択した２個の第１設置穴（図１２の発光装飾物８１が設置された箇所）、及び、第１展示部材［Ｄ］から任意に選択した２個の第１設置穴（図１２の発光装飾物８１が設置された箇所）を、通電穴に設定している。また、第２展示部材６１は何れも電源ユニット１５１と接続して発光可能としている。次に、図１２（ｂ）を用いて、第２実施形態の展示部材の配線構造について説明する。本第２実施形態では、第２展示部材［Ａ］及び［Ｂ］と、第１展示部材［Ｃ］及び［Ｄ］と、で別個の電源ユニット１５１を設けて、夫々に電力を供給するものとしている。然しながら、このような態様に限らず、前述したように、第１展示部材１１と第２展示部材６１とを電気的に接続可能とし、１個の電源ユニット１５１から電力を供給するようにしてもよい。
【０１００】
まず、第２展示部材［Ａ］の第４コネクタ７７と電源ユニット１５１のコネクタとを、電源ケーブル（第３配線１５９）のコネクタ１６０、１６１によって接続する。また、第２展示部材［Ａ］の第５コネクタ７８は、拡張配線（第２配線１５６）のコネクタ１５７、１５８によって、斜向かいの第２展示部材［Ｂ］の第４コネクタ７７と接続される。また、第２展示部材［Ｂ］の第５コネクタ７８は、空コネクタ（空端子）とされる。また、第１展示部材［Ｃ］の第２コネクタ２１と電源ユニット１５１のコネクタとを、電源ケーブル（第３配線１５９）のコネクタ１６０、１６１によって接続する。また、第１展示部材［Ｃ］の第３コネクタ２２は、拡張配線（第２配線１５６）のコネクタ１５７、１５８によって、第１展示部材［Ｄ］の第２コネクタ２１と接続される。また、第１展示部材［Ｄ］の第３コネクタ２２は、空コネクタ（空端子）とされる。尚、拡張配線１５６により、所定の中継基板１３（ＬＥＤ中継基板６５）と他の中継基板１３（ＬＥＤ中継基板６５）とを接続する際には、当該拡張配線１５６をハウジング１４、６６の配線穴２７、９２を挿通して接続するものとする。これにより電気配線が展示部材（展示ケース１）の外部に必要以上に露出せず、意匠性、装飾性が低下するのを防止することが可能となる。
【０１０１】
また、第１展示部材［Ｃ］の２個の第１コネクタ２０と、展示台（拡張展示台）の角部に位置する通電ジャック１５の接続端子４６及びその隣接位置の通電ジャック１５の接続端子４６と、を夫々ジャック接続配線（第１配線１５３）のコネクタ１５４、１５５によって接続する。また、第１展示部材［Ｄ］の２個の第１コネクタ２０と、展示台（拡張展示台）の角部に位置する通電ジャック１５の接続端子４６及びその隣接位置の通電ジャック１５の接続端子４６と、を夫々ジャック接続配線（第１配線１５３）のコネクタ１５４、１５５によって接続する。また、第１展示部材［Ｃ］及び［Ｄ］の各中継基板１３には、第１コネクタ２０が４個ずつ設けられているため、２個ずつの第１コネクタ２０（計４個）が空コネクタ（空端子）とされる。
【０１０２】
前述したように、第２実施形態の展示部材（床部材又は天井部材）では、第１展示部材１１及び第２展示部材６１を連結し、これらを任意に組合せて構成することを可能としたので、床部材や天井部材の発光態様を多様化することが可能となる。これにより、展示ケース１の装飾態様（発光態様、展示態様）を自在に設定し、装飾性を高めることが可能となる。
【０１０３】
［第３実施形態］
前述した第１実施形態及び第２実施形態では、展示台４（床部材）又は天井部材５を構成する第１展示部材１１を複数連結する場合において、全ての第１展示部材１１に中継基板１３を設け、所定の第１展示部材１１の第１設置穴１８を通電穴に設定する場合には、当該通電穴とする第１設置穴１８が形成されている第１展示部材１１の中継基板１３と通電ジャック１５とを接続するものとした。これにより、ジャック接続配線１５３の長さを短くすることを可能にした。然しながら、通電穴に設定する第１設置穴１８の数が少ない場合、中継基板１３の空コネクタが増加し、無駄となっていた。例えば、第１実施形態の態様では、１２個の第１コネクタ２０が空端子とされている。
【０１０４】
そこで、第３実施形態では、図１３に示すように、通電穴として設定する個数に応じて、中継基板１３を有する第１展示部材と、中継基板を有しない第１展示部材と、を備え、これら中継基板１３を有する第１展示部材及び中継基板を有しない第１展示部材を連結して、展示ケース１の展示台４（床部材）又は天井部材５を構成する。第３実施形態では、通電穴を４個に設定し、４個の第１展示部材１１を連結して展示台４（床部材）又は天井部材５を構成した。これにより、中継基板１３を有する第１展示部材１１を１個、中継基板１３を有しない第１展示部材１１を３個、の計４個を連結するものとしている。
【０１０５】
次に、図１３を用いて、複数個（４個）の第１展示部材１１を連結して構成した展示部材（床部材又は天井部材）の配線構造について説明する。図１３では、説明の便宜上、４個の第１展示部材１１を夫々第１展示部材［Ａ］、第１展示部材［Ｂ］、第１展示部材［Ｃ］、第１展示部材［Ｄ］として説明する（図１３に示す通り）。また、第１展示部材１１の中継基板１３に実装される４個の第１コネクタを、夫々第１コネクタ２０（ａ）、第１コネクタ２０（ｂ）、第１コネクタ２０（ｃ）、第１コネクタ２０（ｄ）として説明する（図１３に示す通り）。また、図１３は、展示台４の連結部材及びハウジング１４を取り外した状態で、ステージ部材１２、中継基板１３、通電ジャック１５、非通電ジャック１０１、配線、電源ユニット１５１等をハウジング１４側から見た図を示している。
【０１０６】
本第３実施形態では、前述した通り、連結した第１展示部材のうち第１展示部材［Ａ］のみ中継基板１３を有するものとし、他の第１展示部材［Ｂ］乃至［Ｄ］は中継基板１３を有しないものとする。そして、第１展示部材［Ａ］の中継基板１３を電源ユニット１５１と通電可能に接続し、電力を供給するものとする。また、図１３に示すように、各ステージ部材１２には夫々４個のジャック嵌合部４０が設けられており、そのうち、拡張ステージ面の角部である四隅部に位置する４箇所の第１設置穴１８を通電穴とすべく、対応する位置のジャック嵌合部４０に通電ジャック１５を嵌合設置している。この４箇所は、各ステージ部材１２に１箇所ずつ設けられている。また、その他１２個のジャック嵌合部４０は、通電穴に設定しないため、非通電ジャック１０１を嵌合設置して非通電穴としている。通電穴としない場合でも、非通電ジャック１０１を嵌合設置して非通電穴とすることで、この非通電穴に所定の装飾物を挿入し、設置する（展示する）ことが可能となる。
【０１０７】
配線構造については、第１展示部材［Ａ］の中継基板１３の第２コネクタ２１と電源ユニット１５１のコネクタとを、電源ケーブル（第３配線１５９）のコネクタ１６０、１６１によって接続する。他の第１展示部材［Ｂ］乃至［Ｄ］には中継基板１３がないため、第１展示部材［Ａ］の中継基板１３の第３コネクタ２２は、空コネクタ（空端子）とされる。尚、１又は２の他の中継基板１３（連結される第１展示部材の数より少ない複数の中継基板）が存在する場合には、この第３コネクタ２２を用いて他の第１展示部材の中継基板と接続される。
【０１０８】
また、第１展示部材［Ａ］の第１コネクタ２０（ａ）と、第１展示部材［Ａ］の角部（拡張ステージ面の角部）に位置する通電ジャック１５の接続端子４６とを、ジャック接続配線（第１配線１５３）のコネクタ１５４、１５５によって接続する。また、第１展示部材［Ａ］の第１コネクタ２０（ｂ）と、第１展示部材［Ｂ］の角部（拡張ステージ面の角部）に位置する通電ジャック１５の接続端子４６とを、ジャック接続配線（第１配線１５３）のコネクタ１５４、１５５によって接続する。また、第１展示部材［Ａ］の第１コネクタ２０（ｃ）と、第１展示部材［Ｃ］の角部（拡張ステージ面の角部）に位置する通電ジャック１５の接続端子４６とを、ジャック接続配線（第１配線１５３）のコネクタ１５４、１５５によって接続する。また、第１展示部材［Ａ］の第１コネクタ２０（ｄ）と、第１展示部材［Ｄ］の角部（拡張ステージ面の角部）に位置する通電ジャック１５の接続端子４６とを、ジャック接続配線（第１配線１５３）のコネクタ１５４、１５５によって接続する。
【０１０９】
尚、ジャック接続配線（第１配線１５３）により、所定の第１展示部材の中継基板１３と、他の第１展示部材の通電ジャック１５の接続端子４６とを接続する際には、当該ジャック接続配線をハウジング１４の配線穴２７を挿通して接続するものとする。これにより電気配線が展示台４（展示ケース１）の外部に必要以上に露出せず、意匠性、装飾性が低下するのを防止することが可能となる。尚、本第３実施形態では、４個の第１コネクタ２０を有する中継基板１３を１個設け、通電穴を４個設けたので、第１コネクタ２０に空端子は生じていない。
【０１１０】
以上説明した構成としたことで、展示部材に無駄な（過剰な数の）中継基板１３を設ける必要がなく、コストを低減することが可能である。また、第１展示部材１１を複数連結した場合において、中継基板１３を備えない分、展示部材（床部材又は天井部材）を軽量化することが可能となる。特に、天井部材として多数の第１展示部材１１を連結した場合には、部材を軽量化することで、重量により（連結部材が損傷等して）部材の連結が外れてしまったり、展示部材や電気配線等が損傷してしまったりするのを極力防止することが可能となる。
【０１１１】
［他の態様］
前述した第１乃至第３実施形態では、第１展示部材１１又は／及び第２展示部材６１を複数連結した展示部材を、床部材（展示台４）又は天井部材５として構成する例を示した。然しながら、このような態様に限らず、第１展示部材１１又は／及び第２展示部材６１を複数連結した展示部材を、床部材と垂直状に立設する壁面部や、傾斜状に設けられる壁面部として構成してもよい。そしてこれら壁面部に対して電気的装飾物（発光装飾物等）を設置したり、当該壁面部自体を発光させたりして、装飾性を高めることも可能である。
【０１１２】
また、前述した第１乃至第３実施形態では、第１展示部材１１又は／及び第２展示部材６１を複数連結して展示部材（床部材、天井部材、壁面部）を構成する例を示したが、このような態様に限らない。床部材及び天井部材を、１個の第１展示部材１１又は／及び第２展示部材６１で夫々構成し、周囲（周壁）をアクリル板とすることで小型の展示ケース１としてもよい。
【０１１３】
また、第１実施形態では、床部材（展示台４）を、第１展示部材１１を複数連結して構成し、天井部材５を、第２展示部材６１を複数連結して構成した。このような態様に替えて、天井部材を、第１展示部材１１を複数連結して構成し、床部材（展示台）を第２展示部材６１を複数連結して構成してもよい。この場合、第１設置穴１８（通電穴）や第２設置穴を介して天井部材に電気的装飾物や他の装飾物等を設置可能（展示可能）であるので、天井部材を展示台（飾り台）ともいう。また、床部材及び天井部材の両方を、第１展示部材１１を複数連結して構成してもよいし、床部材及び天井部材の両方を第２展示部材６１を複数連結して構成してもよい。
【０１１４】
また、第１実施形態では、第２展示部材６１には、装飾物や支持部材を設置可能な設置穴を設けていないが、第２展示部材６１にも、このような設置穴を設け、発光ステージ面上に載置する装飾物等を支持・固定できるようにしてもよい。
【０１１５】
また、第１実施形態では、第１設置穴１８に挿入する穴径変換部材１７１上に、第２設置穴１９と同じ形状の設置穴を設けることで、支持部材１１０の設置箇所を増設するものとした。このような態様に加えて又は替えて、第１設置穴１８又は第２設置穴１９に挿入可能な挿入突起を有する変換部材（穴径変換部材と同形状）において、鍔部上に、設置穴に変えて、マグネットを埋め込んだマグネット部を有する変換部材を備えてもよい。これにより、装飾物等の下端部（足部）にマグネットを備える場合には、このマグネット同士を磁力によりくっつけることで、変換部材を介して、装飾物３をステージ面１７上に固定することが可能となる。
【０１１６】
電源ユニット１５１は、内部に二次電池（蓄電池）が内蔵され、この二次電池により電力を供給可能な構成とした。然しながらこのような態様に限らない。例えば、この二次電池に替えて又は加えて、電源ユニット１５１にＵＳＢコネクタを設け、ＵＳＢコネクタに接続されたノートパソコン等の電力供給部から電力を供給することを可能にしてもよい。また、これらに替えて又は加えて、電源ユニット１５１に固定式又は着脱式のコンセントケーブル及びコンセントプラグを設け、家庭用のコンセントから直接電力を供給することを可能にしてもよい。また、これらに替えて又は加えて、市販の所定サイズ・本数（例えば単３型を４本）の一次電池又は二次電池を挿入・取外し可能とし、これらによって電力を供給することを可能にしてもよい。
【０１１７】
［その他］
前述した特許文献１は、台座の内部に光源を設置しているため、光源の配線等を台座内に被覆することで、配線の露出を防止して、きれいに見せることが可能となる。然しながら、台座のステージ板を介して光を照射するため、装飾物に照射する光量が低減してしまう。また、光源は、ステージ板よりも下方に配置されるため、装飾物に対する光の照射位置や照射角度が制限されてしまう。一方、特許文献１は、台座の端部から立設した自在アームの端部に光源を取り付け、当該光源によって装飾物の上方からも光を照射可能である。然しながら、光源の設置位置が固定されており、展示者の望む任意の位置・方向・角度等から光を照射することができない。前述した実施形態の展示ケースは、このような事情に鑑みてなされたものであり、装飾物に対する光の照射によって、装飾性を向上させることにある。また、前述した特許文献１は、台座のステージ上に設置される装飾物の下方から上方に向けて光を照射するため、装飾物の陰が生じ難く、きれいに見せることが可能となる。然しながら、特許文献１の構造を採用すると、装飾物を設置可能な範囲（ステージ板の面積）が限定され、装飾物の大きさが制限されたり、飾りケース（ショーケース）の設置空間に余剰空間が生じたりする場合がある。前述した実施形態の展示ケースは、このような事情に鑑みてなされたものであり、光を照射可能な発光設置部材を連結可能とすることによって、装飾性を向上させることにある。
【符号の説明】
【０１１８】
１      展示ケース（飾りケース）
３      装飾物
４      展示台（飾り台）
５      天井部材（飾り台）
１１    第１展示部材（設置部材）
１３    中継基板（中継部）
１７    ステージ面（設置部）
１８    第１設置穴（設置部、通電設置部）
１９    第２設置穴（設置部）
４７    通電固定穴（設置部、通電設置部）
６１    第２展示部材（設置部材、発光設置部材）
６５    ＬＥＤ中継基板（中継部）
７４    ＬＥＤチップ（発光部）
７９    発光ステージ面（設置部、発光部）
８１    発光装飾物
１５１  電源ユニット
【図１】
2018000353.tif 000003
【図２】
2018000353.tif 000004
【図３】
2018000353.tif 000005
【図４】
2018000353.tif 000006
【図５】
2018000353.tif 000007
【図６】
2018000353.tif 000008
【図７】
2018000353.tif 000009
【図８】
2018000353.tif 000010
【図９】
2018000353.tif 000011
【図１０】
2018000353.tif 000012
【図１１】
2018000353.tif 000013
【図１２】
2018000353.tif 000014
【図１３】
2018000353.tif 000015